(57)【要約】【課題】設置スペースを低減するケーブルヘッドおよびガス絶縁開閉装置を提供する。【解決手段】実施形態の第１ないし第３のケーブルヘッド１ａ、１ｂおよび１ｃは、母線３の三相導体１３が分離されたＲ相の導体１３ａ、Ｓ相の導体１３ｂおよびＴ相の導体１３ｃを相ごとに収容するケーブルヘッドであって、一部が開口可能で絶縁ガスが充填された密閉容器７ａ、７ｂおよび７ｃと、密閉容器７ａ、７ｂおよび７ｃの開口で気密を保持するように取り付けられて母線３の導体を支持する絶縁スペーサ１４と、相ごとの導体が接続される接続導体１２と、複数の接続導体１２を支持しながら略同一平面上に配置して密閉容器７ａ、７ｂおよび７ｃの外部から導出された電力ケーブル１０に接続する電力ケーブル終端部１１と、を有する。【選択図】図１
2013143845.tif 000002
【特許請求の範囲】
【請求項１】
電力ケーブル接続母線の三相導体が相ごとに分離され、分離された相ごとに複数の同相の導体を収容するケーブルヘッドであって、
一部が開口可能で、絶縁ガスが充填された密閉容器と、
前記密閉容器の開口で気密を保持するように取り付けられ、前記電力ケーブル接続母線の導体を支持する絶縁スペーサと、
前記密閉容器内で前記三相導体のいずれか一相と同相の導体が接続される接続導体と、
前記密閉容器の他の開口で気密を保持するように取り付けられ、複数の同相の前記接続導体を支持しながら略同一平面上に配置して前記密閉容器の外部から導出された電力ケーブルに接続する電力ケーブル終端部と、
を有することを特徴とするケーブルヘッド。
【請求項２】
電力ケーブル接続母線の三相導体が相ごとに分離され、分離された相ごとに複数の同相の導体を収容するケーブルヘッドであって、
一部が開口可能で前記電力ケーブル接続母線の三相導体を収容する主胴部と、前記電力ケーブル接続母線の三相導体における第1の相の複数の導体を収容する第１の分岐部と、前記電力ケーブル接続母線の三相導体における第２の相の複数の導体を収容する第２の分岐部と、前記電力ケーブル接続母線の三相導体における第３の相の複数の導体を収容する第３の分岐部と、を有する、絶縁ガスが充填された密閉容器と、
前記主胴部の開口で気密を保持するように取り付けられ、電力ケーブル接続母線の導体を支持する絶縁スペーサと、
前記密閉容器内で前記三相導体が接続される接続導体と、
前記第１ないし第３の分岐部の各々において、前記密閉容器の気密を保持するように取り付けられ、複数の同相の前記接続導体を支持しながら略同一平面上に配置して前記密閉容器の外部から導出された電力ケーブルに接続する電力ケーブル終端部と、
を有することを特徴とするケーブルヘッド。
【請求項３】
前記第１ないし第３の分岐部と前記電力ケーブル終端部とが連結されている
ことを特徴とする請求項２に記載のケーブルヘッド。
【請求項４】
前記第１および第２の分岐部が水平方向に配置されるように設けられ、
前記第３の分岐部が下向きに配置されるように設けられる
ことを特徴とする請求項２に記載のケーブルヘッド。
【請求項５】
前記第１の分岐部が上向きに配置されるように設けられ、
前記第２の分岐部が水平方向に配置されるように設けられ、
前記第３の分岐部が下向きに配置されるように設けられる
ことを特徴とする請求項２に記載のケーブルヘッド。
【請求項６】
電力ケーブル接続母線の三相導体が相ごとに分離され、分離された相ごとに複数の同相の導体を収容する複数のケーブルヘッドを具備するガス絶縁開閉装置であって、
前記ガス絶縁開閉装置は、前記電力ケーブル接続母線の三相導体を収容し、前記三相導体を前記複数のケーブルヘッドに導出し、
前記複数のケーブルヘッドの各々は、
一部が開口可能で、絶縁ガスが充填された密閉容器と、
前記密閉容器の開口で気密を保持するように取り付けられ、前記電力ケーブル接続母線の導体を支持する絶縁スペーサと、
前記密閉容器内で前記三相導体のいずれか一相の同相の導体が接続される接続導体と、
前記密閉容器の他の開口で気密を保持するように取り付けられ、複数の同相の前記接続導体を支持しながら略同一平面上に配置して前記密閉容器の外部から導出された電力ケーブルに接続する電力ケーブル終端部と、を有し、
前記複数のケーブルヘッドは、前記電力ケーブル接続母線の三相導体の第1の相を収容する第１のケーブルヘッド、前記電力ケーブル接続母線の三相導体の第２の相を収容する第２のケーブルヘッド、および、前記電力ケーブル接続母線の三相導体の第３の相を収容する第３のケーブルヘッドであり、これらケーブルヘッドは、前記絶縁スペーサを介在させながら前記三相導体が導出される水平方向に一列に並ぶように連結され、前記第１のケーブルヘッドは、前記第１のケーブルヘッドの絶縁スペーサを介して前記電力ケーブル接続母線の三相導体を支持して前記第２のケーブルヘッドの絶縁スペーサまで前記第２および第３の相の導体を通過させ、前記第２のケーブルヘッドは、前記第２のケーブルヘッドの絶縁スペーサを介して前記第２および第３の相の導体を支持して前記第３のケーブルヘッドの絶縁スペーサまで前記第３の相の導体を通過させ、前記第３のケーブルヘッドは、前記第３のケーブルヘッドの絶縁スペーサを介して前記第３の相の導体を支持する
ことを特徴とするガス絶縁開閉装置。
【請求項７】
電力ケーブル接続母線の三相導体が相ごとに分離され、分離された相ごとに複数の同相の導体を収容するケーブルヘッドを具備するガス絶縁開閉装置であって、
前記ガス絶縁開閉装置は、前記電力ケーブル接続母線の三相導体を収容し、前記三相導体を前記ケーブルヘッドに導出し、
前記ケーブルヘッドは、
一部が開口可能で前記電力ケーブル接続母線の三相導体を収容する主胴部と、前記電力ケーブル接続母線の三相導体における第1の相の複数の導体を収容する第１の分岐部と、前記電力ケーブル接続母線の三相導体における第２の相の複数の導体を収容する第２の分岐部と、前記電力ケーブル接続母線の三相導体における第３の相の複数の導体を収容する第３の分岐部と、を有する、絶縁ガスが充填された密閉容器と、
前記主胴部の開口で気密を保持するように取り付けられ、電力ケーブル接続母線の導体を支持する絶縁スペーサと、
前記密閉容器内で前記三相導体が接続される接続導体と、
前記第１ないし第３の分岐部に連結され、前記第１ないし第３の分岐部の各々において前記密閉容器の気密を保持するように取り付けられ、複数の同相の前記接続導体を支持しながら略同一平面上に配置して前記密閉容器の外部から導出された電力ケーブルに接続する電力ケーブル終端部と、
を有することを特徴とするガス絶縁開閉装置。
【発明の詳細な説明】
【技術分野】
【０００１】
本発明の実施形態は、ケーブルヘッドおよびガス絶縁開閉装置に関する。
【背景技術】
【０００２】
一般に、ガス絶縁開閉装置は気中絶縁の開閉装置に比べて著しく小型に構成することが可能である。このため、設置スペースが不足しがちな都心部などで普及している。また、都心部に設置されるガス絶縁開閉装置では、送電網ならびに変圧器等他機器への接続部の気中絶縁距離を削減することを目的としてケーブルヘッドによる電力ケーブル取り合い方式が多く採用されている。また、定格電流の大きな大容量回線においては電力ケーブル敷設時の作業効率を高めるため、電力ケーブルを複数条に分け、多数のケーブルヘッドに接続することがある。
【０００３】
なお、大容量回線における電力ケーブル取り合い方式を用いた三相一括形のガス絶縁開閉装置において、ガス絶縁機器内から三相導体が直線状に延びて絶縁スペーサを通過し、ケーブルヘッド内の電力ケーブル終端部上方まで導出され、接続導体と接続された三相導体の各相を各電力ケーブル終端部と略同一の鉛直平面上に配置し、また、その三相導体の一辺を鉛直方向となる正三角形の各頂点を通過するように配置すること等が開示されている。
【先行技術文献】
【特許文献】
【０００４】
【特許文献１】特開２００３−２８９６０５号公報
【発明の概要】
【発明が解決しようとする課題】
【０００５】
上述したケーブルヘッドおよびガス絶縁開閉装置では、大容量回線における複数条の電力ケーブルをガス絶縁開閉装置のケーブルヘッドに接続する場合、多数のケーブルヘッドが必要となり、ケーブルヘッドの数が増えると、ガス絶縁開閉装置全体の据付面積（設置スペース）が大きくなる。また、多数のケーブルヘッドに加えて、断路器、計器用変圧器、避雷器等の機器も接続されることがある。このため、これらを含めたガス絶縁開閉装置全体の据付面積が大きくなる。
【０００６】
本発明が解決しようとする課題は、設置スペースを低減するケーブルヘッドおよびガス絶縁開閉装置を提供することである。
【課題を解決するための手段】
【０００７】
上記課題を解決するために、一つの実施形態のケーブルヘッドは、電力ケーブル接続母線の三相導体が相ごとに分離され、分離された相ごとに複数の同相の導体を収容するケーブルヘッドである。当該ケーブルヘッドは、一部が開口可能で、絶縁ガスが充填された密閉容器と、前記密閉容器の開口で気密を保持するように取り付けられ、前記電力ケーブル接続母線の導体を支持する絶縁スペーサと、前記密閉容器内で前記三相導体のいずれか一相と同相の導体が接続される接続導体と、前記密閉容器の他の開口で気密を保持するように取り付けられ、複数の同相の前記接続導体を支持しながら略同一平面上に配置して前記密閉容器の外部から導出された電力ケーブルに接続する電力ケーブル終端部と、を有する。
【０００８】
また、他の実施形態のケーブルヘッドは、電力ケーブル接続母線の三相導体が相ごとに分離され、分離された相ごとに複数の同相の導体を収容するケーブルヘッドである。当該ケーブルヘッドは、一部が開口可能で前記電力ケーブル接続母線の三相導体を収容する主胴部と、前記電力ケーブル接続母線の三相導体における第1の相の複数の導体を収容する第１の分岐部と、前記電力ケーブル接続母線の三相導体における第２の相の複数の導体を収容する第２の分岐部と、前記電力ケーブル接続母線の三相導体における第３の相の複数の導体を収容する第３の分岐部と、を有する、絶縁ガスが充填された密閉容器と、前記主胴部の開口で気密を保持するように取り付けられ、電力ケーブル接続母線の導体を支持する絶縁スペーサと、前記密閉容器内で前記三相導体が接続される接続導体と、前記第１ないし第３の分岐部の各々において、前記密閉容器の気密を保持するように取り付けられ、複数の同相の前記接続導体を支持しながら略同一平面上に配置して前記密閉容器の外部から導出された電力ケーブルに接続する電力ケーブル終端部と、を有する。
【０００９】
また、上記課題を解決するために、一つの実施形態のガス絶縁開閉装置は、電力ケーブル接続母線の三相導体が相ごとに分離され、分離された相ごとに複数の同相の導体を収容する複数のケーブルヘッドを具備するガス絶縁開閉装置である。当該ガス絶縁開閉装置は、前記電力ケーブル接続母線の三相導体を収容し、前記三相導体を前記複数のケーブルヘッドに導出し、前記複数のケーブルヘッドの各々は、一部が開口可能で、絶縁ガスが充填された密閉容器と、前記密閉容器の開口で気密を保持するように取り付けられ、前記電力ケーブル接続母線の導体を支持する絶縁スペーサと、前記密閉容器内で前記三相導体のいずれか一相の同相の導体が接続される接続導体と、前記密閉容器の他の開口で気密を保持するように取り付けられ、複数の同相の前記接続導体を支持しながら略同一平面上に配置して前記密閉容器の外部から導出された電力ケーブルに接続する電力ケーブル終端部と、を有し、前記複数のケーブルヘッドは、前記電力ケーブル接続母線の三相導体の第1の相を収容する第１のケーブルヘッド、前記電力ケーブル接続母線の三相導体の第２の相を収容する第２のケーブルヘッド、および、前記電力ケーブル接続母線の三相導体の第３の相を収容する第３のケーブルヘッドであり、これらケーブルヘッドは、前記絶縁スペーサを介在させながら前記三相導体が導出される水平方向に一列に並ぶように連結され、前記第１のケーブルヘッドは、前記第１のケーブルヘッドの絶縁スペーサを介して前記電力ケーブル接続母線の三相導体を支持して前記第２のケーブルヘッドの絶縁スペーサまで前記第２および第３の相の導体を通過させ、前記第２のケーブルヘッドは、前記第２のケーブルヘッドの絶縁スペーサを介して前記第２および第３の相の導体を支持して前記第３のケーブルヘッドの絶縁スペーサまで前記第３の相の導体を通過させ、前記第３のケーブルヘッドは、前記第３のケーブルヘッドの絶縁スペーサを介して前記第３の相の導体を支持する。
【００１０】
また、他の実施形態のガス絶縁開閉装置は、電力ケーブル接続母線の三相導体が相ごとに分離され、分離された相ごとに複数の同相の導体を収容するケーブルヘッドを具備するガス絶縁開閉装置である。当該ガス絶縁開閉装置は、前記電力ケーブル接続母線の三相導体を収容し、前記三相導体を前記ケーブルヘッドに導出し、前記ケーブルヘッドは、一部が開口可能で前記電力ケーブル接続母線の三相導体を収容する主胴部と、前記電力ケーブル接続母線の三相導体における第1の相の複数の導体を収容する第１の分岐部と、前記電力ケーブル接続母線の三相導体における第２の相の複数の導体を収容する第２の分岐部と、前記電力ケーブル接続母線の三相導体における第３の相の複数の導体を収容する第３の分岐部と、を有する、絶縁ガスが充填された密閉容器と、前記主胴部の開口で気密を保持するように取り付けられ、電力ケーブル接続母線の導体を支持する絶縁スペーサと、前記密閉容器内で前記三相導体が接続される接続導体と、前記第１ないし第３の分岐部に連結され、前記第１ないし第３の分岐部の各々において前記密閉容器の気密を保持するように取り付けられ、複数の同相の前記接続導体を支持しながら略同一平面上に配置して前記密閉容器の外部から導出された電力ケーブルに接続する電力ケーブル終端部と、を有する。
【図面の簡単な説明】
【００１１】
【図１】本発明に係るガス絶縁開閉装置の第１の実施形態における立断面図。
【図２】図１の上面図。
【図３】第１の実施形態におけるケーブルヘッドの立断面図。
【図４】図３のＩＶ−ＩＶ線矢視横断面図である。
【図５】図３のＶ−Ｖ線矢視横断面図である。
【図６】本発明に係るガス絶縁開閉装置の第２の実施形態における立断面図。
【図７】本発明に係るガス絶縁開閉装置の第３の実施形態における立断面図。
【図８】本発明に係るガス絶縁開閉装置の第４の実施形態における立断面図。
【図９】本発明に係るガス絶縁開閉装置の第５の実施形態における立断面図。
【発明を実施するための形態】
【００１２】
以下、本発明に係る実施形態のケーブルヘッドおよびガス絶縁開閉装置について、図面を参照して具体的に説明する。ここで、互いに同一または類似の部分には共通の符号を付して、重複説明は省略する。ここで説明する下記の実施形態はいずれも、ガス絶縁開閉装置の一例をとりあげて説明する。
【００１３】
［第１の実施形態］
以下、本発明に係るガス絶縁開閉装置の第１の実施形態について、図１ないし図５を参照して説明する。ここで、図１は本発明に係るガス絶縁開閉装置の第１の実施形態におけるガス絶縁開閉装置の立断面図であり、図２は図１の上面図である。また、図３ないし図５は、図１に用いられるケーブルヘッドを説明する図であり、図３はケーブルヘッドの立断面図、図４は図３のＩＶ−ＩＶ線矢視横断面図、図５は図３のＶ−Ｖ線矢視横断面図である。
【００１４】
第１の実施形態のガス絶縁開閉装置は、図１に示すように、第１ないし第３のケーブルヘッド１ａ、１ｂおよび１ｃ、断路器２、母線３、計器用変圧器５、避雷器６を具備している。
【００１５】
図１において、第１ないし第３のケーブルヘッド１ａ、１ｂおよび１ｃは、ガス絶縁開閉装置に収容されている回線の導体を、ガス絶縁開閉装置の外部の導体やケーブルに接続するための終端を行う。断路器２は、充電された導体などから回路の開閉を行う。母線３は、通電部の導体と、それらを収容する容器と、支持絶縁物（絶縁スペーサ）とを有する。計器用変圧器５は、回路の高電圧を低電圧に変成し、その変成した電圧を計器に接続する端子を有している。避雷器６は、電力系統に発生する雷サージや開閉サージからガス絶縁開閉装置を保護する。なお、これらの機器は、容器内に絶縁ガスが封入されて、密閉されている。
【００１６】
図１に示すガス絶縁開閉装置では、断路器２が水平に配置され、断路器２には水平に母線３が接続されている。また、避雷器６が鉛直方向の下向きに配置され、避雷器６には下向きに母線３が接続されている、また、計器用変圧器５が鉛直方向の上向きに配置され、計器用変圧器５には上向きに母線３が接続されている。また、図１および図２に示すように、水平方向に第１ないし第３のケーブルヘッド１ａ、１ｂおよび１ｃの３台が連結されている。この第１ないし第３のケーブルヘッド１ａ、１ｂおよび１ｃを介して、Ｒ相、Ｓ相およびＴ相ごとの導体が、各々、電力ケーブル１０に接続されている。
【００１７】
以下、第１ないし第３のケーブルヘッド１ａ、１ｂおよび１ｃへの母線３（電力ケーブル接続母線）の三相導体１３の収容方法について説明する。
【００１８】
第１の実施形態のガス絶縁開閉装置では、母線３の容器に収容されている三相導体１３は、母線３においてＲ相の導体１３ａ、Ｓ相の導体１３ｂ、Ｔ相の導体１３ｃの相ごとに分離されている。例えば、図１では、Ｒ相の導体１３ａは、母線３から３条のＲ相の導体が分離されたものであり、その他のＳ相の導体１３ｂおよびＴ相の導体１３ｃについても、母線３から３条のＳ相およびＴ相の導体が、各々について分離されたものである。図１に示すガス絶縁開閉装置は、母線３で分離された相ごとの導体を、第１ないし第３のケーブルヘッド１ａ、１ｂおよび１ｃに導出している。
【００１９】
これらの複数のケーブルヘッドにおいて、第１のケーブルヘッド１ａは三相導体１３のＲ相の導体１３ａを３条収容し、第２のケーブルヘッド１ｂは三相導体１３のＳ相の導体１３ｂを３条収容し、そして第３のケーブルヘッド１ｃは三相導体１３のＴ相の導体１３ｃを３条収容している。第１ないし第３のケーブルヘッド１ａ、１ｂおよび１ｃは、図１に示すように、絶縁スペーサ１４を介在させながら三相導体１３が導出される水平方向に一列に並ぶように連結されている。
【００２０】
第１のケーブルヘッド１ａは、絶縁スペーサ１４により母線３のＲ相、Ｓ相およびＴ相の導体１３ａ、１３ｂおよび１３ｃを支持し、第２のケーブルヘッド１ｂの絶縁スペーサ１４までＳ相およびＴ相の導体１３ｂおよび１３ｃを通過させている。次に、第２のケーブルヘッド１ｂは、絶縁スペーサ１４によりＳ相およびＴ相の導体１３ｂおよび１３ｃを支持し、第３のケーブルヘッド１ｃの絶縁スペーサ１４までＴ相の導体１３ｃを通過させている。最後に、第３のケーブルヘッド１ｃは、絶縁スペーサ１４によりＴ相の導体１３ｃを支持している。
【００２１】
第１のケーブルヘッド１ａは、図１に示すように、密閉容器７ａ、電力ケーブル終端部１１、接続導体１２、絶縁スペーサ１４、および第１の電力ケーブル接続部１５ａを有している。また、第２および第３のケーブルヘッド１ｂおよび１ｃについても、図１に示すように、第１のケーブルヘッド１ａと同様な構成である。以下では、第１のケーブルヘッド１ａについて主に説明するが、その他の第２および第３のケーブルヘッド１ｂおよび１ｃについても同様なため、これらの説明は省くものとする。
【００２２】
第１のケーブルヘッド１ａの密閉容器７ａは、一部が開口可能で、絶縁ガスが充填される。
【００２３】
絶縁スペーサ１４は、導体を通過させるための密閉容器７ａの開口において気密を保持するように取り付けられ、かつ母線３から導出された導体１３ａ、１３ｂおよび１３ｃを支持している。また、密閉容器７ａと連結される密閉容器７ｂとの間に介在する絶縁スペーサ１４は、導体１３ｂおよび１３ｃを支持している。
【００２４】
接続導体１２には、密閉容器７ａ内で三相導体１３の予め定められた一相の導体（例えばＲ相の導体１３ａ）が接続されている。すなわち、各ケーブルヘッドに収容される各相の導体が接続される。
【００２５】
電力ケーブル終端部１１は、密閉容器７ａにおいて電力ケーブル１０を終端するための他の開口で気密を保持するように取り付けられる。電力ケーブル終端部１１は、複数のＲ相の接続導体１２を支持しながら略同一平面上に配置して密閉容器７ａの外部から引き込まれた電力ケーブル１０に当該接続導体１２を接続している。
【００２６】
第１の電力ケーブル接続部１５ａは、下方向（地面側）から導出された電力ケーブル１０を収容すると共に、第１のケーブルヘッド１ａを下方向から支えている。なお、第１ないし第３の電力ケーブル接続部１５ａ、１５ｂおよび１５ｃの詳細な構造は、後述する図３ないし図５において説明する。
【００２７】
以下、Ｒ相、Ｓ相およびＴ相の複数の導体を収容する第１ないし第３のケーブルヘッド１ａ、１ｂおよび１ｃと電力ケーブル１０との接続について説明する。具体的には、図１に示すガス絶縁開閉装置における第１ないし第３のケーブルヘッド１ａ、１ｂおよび１ｃについて、図３ないし図５を参照して説明する。なお、図３ないし図５は、図１に示す第３のケーブルヘッド１ｃを例にして示す図であり、他の第１および第２のケーブルヘッド１ａおよび１ｂについても基本的な構成は同様である。
【００２８】
図３および図４に示すように、Ｔ相の導体１３ｃは、第３のケーブルヘッド１ｃの絶縁スペーサ１４を貫通して支持されている。Ｔ相の導体１３ｃは、第３のケーブルヘッド１ｃの密閉容器７ｃ内で３つに分離され、その各々が接続導体１２に接続される。この接続導体１２が電力ケーブル終端部１１に収容される。この結果、Ｔ相の導体１３ｃは、電力ケーブル終端部１１および第３の電力ケーブル接続部１５ｃを介して、密閉容器７ｃの外部から引き込まれたＴ相の電力ケーブル１０に接続される。
【００２９】
また、図３ないし図５に示すように、第３の電力ケーブル接続部１５ｃにおけるケーブルヘッド底板１５１ｃには円錐台状の電力ケーブル終端部１１が３つ、略均等に三角形配置されている。すなわち、各電力ケーブル終端部１１は上方から見て正三角形の各頂点に位置している。また、各電力ケーブル終端部１１の鉛直方向の上側（上向き）には、接続導体１２が取り付けられる。
【００３０】
第３の電力ケーブル接続部１５ｃは、図３ないし図５に示すように、ケーブルヘッド底板１５１ｃ、アダプタ１５２ｃ、架構１５３ｃを有する。
【００３１】
ケーブルヘッド底板１５１ｃは、密閉容器７ｃにおける電力ケーブル１０を収容する側の開口を覆う。ケーブルヘッド底板１５１ｃは、電力ケーブル終端部１１が貫通するように設けられている。この電力ケーブル終端部１１において、接続導体１２と、密閉容器７ｃの外部から引き込まれたＴ相の電力ケーブル１０とが接続されている。
【００３２】
アダプタ１５２ｃは、ケーブルヘッド底板１５１ｃを貫通する電力ケーブル終端部１１からの絶縁ガスの漏洩を防止するために、電力ケーブル終端部１１ごとに気密を保持するように取り付けられる。
【００３３】
架構１５３ｃは、下方向から導出されたＴ相の電力ケーブ１０を収容すると共に、第３のケーブルヘッド１ｃを下方向から支えている。
【００３４】
図５に示す各電力ケーブル終端部１１間のケーブル距離Ｘｋは、電力ケーブル終端部１１に収容される導体が同相であるため、異なる相を収容するとした場合のケーブルヘッドに比べて電力ケーブル終端部間のケーブル距離よりも小さくすることができる。これにより、図５に示すタンク径Ｄｋは、異なる相を収容するとした場合のケーブルヘッドに比べて電力ケーブル終端部のタンク径をより小さくすることができる。また、それに応じてケーブルヘッド底板１５１ｃもより小さくすることができる。
【００３５】
第１の実施形態における第１ないし第３のケーブルヘッド１ａ、１ｂおよび１ｃによれば、回線ごとに母線の三相の導体を分離して、各々のケーブルヘッドに、分離したＲ相、Ｓ相およびＴ相の導体を割り当てることができる。各々のケーブルヘッドは、割り当てられた各相の複数の導体を収容することができる。
【００３６】
電力ケーブル終端部１１は、三相導体１３のＲ相、Ｓ相、Ｔ相の同相ごとに、前述したように複数の導体１３ａ、１３ｂおよび１３ｃを収容して、電力ケーブル１０に接続している。なお、図１ないし図５の実施形態では、複数条の導体として、３条の導体を収容する例を示しているが、本実施形態のケーブルヘッドにおいてその収容数を３条に限定するものではない。また、複数条を収容するケーブルヘッドを複数用いて、複数の導体を収容してもよい。
【００３７】
第１の実施形態によれば、第１ないし第３のケーブルヘッド１ａ、１ｂおよび１ｃの各々について、相ごとに導体を収容することで、ケーブルヘッド内では相間電位差を無くすことができるため、ケーブルヘッドのタンク径を小さくすることができる。これにより、第１ないし第３のケーブルヘッド１ａ、１ｂおよび１ｃを具備するガス絶縁開閉装置は、ケーブルヘッドを小型化できるため、ＧＩＳ（Ｇａｓ  Ｉｎｓｕｌａｔｅｄ  Ｓｗｉｔｃｈｇｅａｒ）全体の据付面積を低減することができる。
【００３８】
また、図１に示すように、例えば計器用変圧器５を避雷器６の上部に配置することにより、さらに、ＧＩＳ全体の据付面積を低減することができる。
【００３９】
［第２の実施形態］
図６は本発明に係るガス絶縁開閉装置の第２の実施形態における立断面図である。
【００４０】
第２の実施形態のガス絶縁開閉装置は、電力ケーブル接続母線（母線３）の三相導体１３が相ごとに分離され、分離された相ごとに複数の同相の導体を収容するケーブルヘッド１ｄを具備する。例えば、第２の実施形態のガス絶縁開閉装置は、図６に示すように、ケーブルヘッド１ｄ、断路器２、母線３、計器用変圧器５、避雷器６を具備している。
【００４１】
第２の実施形態のガス絶縁開閉装置では、図６に示すように、断路器２が水平に配置され、断路器２には水平に母線３が接続されている。また、母線３には、鉛直方向の下向きに避雷器６が配置され、鉛直方向の上向きに計器用変圧器５が配置されている。また、水平方向に、ケーブルヘッド１ｄが配置されている。
【００４２】
第２の実施形態のガス絶縁開閉装置では、第１の実施形態と同様に、母線３に収容されている三相導体１３が、Ｒ相の導体１３ａ、Ｓ相の導体１３ｂ、Ｔ相の導体１３ｃの相ごとに分離されている。例えば、図６では、Ｒ相の導体１３ａは、母線３から３条のＲ相の導体が分離されたものであり、その他のＳ相の導体１３ｂおよびＴ相の導体１３ｃについても、母線３から３条のＳ相およびＴ相の導体が分離されたものである。図６に示すガス絶縁開閉装置は、母線３で分離された相ごとの導体１３ａ、１３ｂおよび１３ｃを、ケーブルヘッド１ｄに導出している。
【００４３】
ケーブルヘッド１ｄにおいて、前述したように分離された三相導体１３のＲ相、Ｓ相およびＴ相の導体１３ａ、１３ｂおよび１３ｃを収容する。ケーブルヘッド１ｄは、一部が開口可能で三相導体１３を収容する主胴部７ｄと、三相導体１３のＲ相の複数（例えば３条）の導体１３ａを収容する第１の分岐部８ａと、三相導体１３のＳ相の複数の導体１３ｂを収容する第２の分岐部８ｂと、三相導体１３のＴ相の複数の導体１３ｃを収容する第３の分岐部８ｃと、を有する。この他にも、ケーブルヘッド１ｄは、電力ケーブル終端部１１、接続導体１２、絶縁スペーサ１４、および電力ケーブル接続部１５ｄを有する。
【００４４】
ケーブルヘッド１ｄは、絶縁ガスが充填されるように、主胴部７ｄおよび第１ないし第３の分岐部８ａ、８ｂおよび８ｃが一体となるように形成されている。このように、ケーブルヘッド１ｄは、図１に示す第１の実施形態における第１ないし第３のケーブルヘッド１ａ、１ｂおよび１ｃを用いる場合よりも、より開口部分が少ないものとされている。
【００４５】
絶縁スペーサ１４は、主胴部７ｄの開口において母線３から導出されたＲ相の導体１３ａ、Ｓ相の導体１３ｂおよびＴ相の導体１３ｃを支持し、気密を保持するように取り付けられている。
【００４６】
接続導体１２には、第１ないし第３の分岐部８ａ、８ｂおよび８ｃ内で三相導体１３の各相に対応して相ごとの導体が接続されている。すなわち、分離されたＲ相の導体１３ａ、Ｓ相の導体１３ｂおよびＴ相の導体１３ｃが、複数の同相の導体ごとに、第１ないし第３の分岐部８ａ、８ｂおよび８ｃ内の接続導体１２に接続されている。
【００４７】
電力ケーブル終端部１１では、第１ないし第３の分岐部８ａ、８ｂおよび８ｃの各々において接続導体１２と電力ケーブル１０とが接続されている。この場合に、第１ないし第３の分岐部８ａ、８ｂおよび８ｃの各々において、電力ケーブル終端部１１は略同一平面上に配置され、ケーブルヘッド１ｄの外部から引き込まれた電力ケーブルに接続されている。また、電力ケーブル終端部１１は、ケーブルヘッド１ｄの気密を保持するように取り付けられている。
【００４８】
電力ケーブル接続部１５ｄは、電力ケーブル終端部１１を収容し、電力ケーブル１０を収容している。このために、電力ケーブル接続部１５ｄは、図６に示すように、ケーブルヘッド底板１５１ｄ、架構１５３ｄ、アダプタ（図示しない）を有している。
【００４９】
ケーブルヘッド底板１５１ｄは、電力ケーブル終端部１１が貫通するように設けられ、第１ないし第３の分岐部８ａ、８ｂおよび８ｃの開口を覆う。例えば、第１の分岐部８ａにおいて、このケーブルヘッド底板１５１ｄを貫通するように設けられた電力ケーブル終端部１１が、電力ケーブル接続部１５ｄの外部から引き込まれたＲ相の電力ケーブル１０と、Ｒ相の複数の導体１３ａに接続されている接続導体１２とを接続している。
【００５０】
ケーブルヘッド底板１５１ｄに設けられるアダプタは、ケーブルヘッド底板１５１ｄを貫通するように設けられている電力ケーブル終端部１１から絶縁ガスが漏洩することを防止する。このアダプタは、ケーブルヘッド底板１５１ｄにおける電力ケーブル終端部１１の貫通口周辺での隙間を覆うようにして取り付けられ、ケーブルヘッド１ｄの気密を保持している。なお、図示しないが、アダプタは、図４に示すアダプタ１５２ｃと同様に設けられている。
【００５１】
架構１５３ｄは、下方向（地面側）から導出されたＲ相、Ｓ相およびＴ相の電力ケーブル１０を収容すると共に、ケーブルヘッド１ｄを地面側から支えている。
【００５２】
図６において、例えば、第１の分岐部８ａの開口を覆うようにケーブルヘッド底板１５１ｄが取り付けられている。そのケーブルヘッド底板１５１ｄには、円錐台の形状に形成された電力ケーブル終端部１１が３つ、略均等に三角形状に配置されている。各電力ケーブル終端部１１は、図５に示す例と同様に、上方から見て例えば正三角形の各頂点に位置している。また、各電力ケーブル終端部１１の鉛直方向の上側（上向き）には、接続導体１２が取り付けられる。他の第２の分岐部８ｂおよび第３の分岐部８ｃの開口についても同様である。
【００５３】
ガス絶縁開閉装置においては、前述したＧＩＳの設置スペースを低減することの他にも、絶縁ガスとなるＳＦ６ガスは温暖化係数が高いため、ガスを収納する容器等にできるだけフランジやシールなどを減らし、ガスの漏洩が発生しにくい構造や構成等とすることが求められている。また、フランジ、シール等を減らすことにより部品点数を減して、製造コスト削減も求められている。
【００５４】
上記観点から、第２の実施形態では、３台分のケーブルヘッドに収容する三相導体１３を、図６に示すように、１台のケーブルヘッド１ｄに収容する構造としている。これにより、第２の実施形態では、第１の実施形態の効果に加えて、さらに、個別の３台分のケーブルヘッドを用いる場合よりも全体として絶縁スペーサ、フランジ、シールの数を低減できる。この結果、ガス漏洩危険性の箇所を低減させ、部品数低減による製造コストを低減させる効果を有する。
【００５５】
［第３の実施形態］
図７は本発明に係るガス絶縁開閉装置の第３の実施形態における立断面図である。第３の実施形態は、第２の実施形態の変形例である。以下では、主に第２の実施形態との相違点について説明する。
【００５６】
第３の実施形態のガス絶縁開閉装置は、第２の実施形態と同様に母線３の三相導体１３が相ごとに分離され、分離された相ごとに複数の導体を収容するケーブルヘッド１ｅを具備する。例えば、第３の実施形態のガス絶縁開閉装置は、図７に示すように、ケーブルヘッド１ｅ、断路器２、母線３、計器用変圧器５、避雷器６を具備している。
【００５７】
第３の実施形態のガス絶縁開閉装置では、図７に示すように、断路器２が水平に配置され、断路器２には水平に母線３が接続されている。また、母線３には、鉛直方向の下向きに避雷器６が配置され、鉛直方向の上向きに計器用変圧器５が配置されている。また、水平方向に、ケーブルヘッド１ｅが配置されている。母線３で分離された相ごとの導体１３ａ、１３ｂおよび１３ｃが、ケーブルヘッド１ｅに導出されている。
【００５８】
ケーブルヘッド１ｅにおいて、三相導体１３のＲ相、Ｓ相およびＴ相の各相の導体を複数（例えば３条）収容している。ケーブルヘッド１ｅは、一部が開口可能で三相導体１３を収容する主胴部７ｅと、三相導体１３におけるＲ相の複数の導体１３ａを収容する第１の分岐部８ｅと、同じくＳ相の複数の導体１３ｂを収容する第２の分岐部８ｆと、同じくＴ相の複数の導体１３ｃを収容する第３の分岐部８ｇと、を有する。この他にも、ケーブルヘッド１ｅは、電力ケーブル終端部１１、接続導体１２、絶縁スペーサ１４、第１ないし第３の電力ケーブル接続部１５ｅ、１５ｆおよび１５ｇを有している。
【００５９】
ケーブルヘッド１ｅには、絶縁ガスが充填されるように、主胴部７ｅおよび第１ないし第３の分岐部８ｅ、８ｆおよび８ｇが一体となるように形成されている。このようにケーブルヘッド１ｅは、図６に示すケーブルヘッド１ｄと同様に、開口部分をより少なくするように形成されている。
【００６０】
絶縁スペーサ１４は、主胴部７ｅの開口において母線３から導出されたＲ相の導体１３ａ、Ｓ相の導体１３ｂおよびＴ相の導体１３ｃを支持し、気密を保持するように取り付けられている。
【００６１】
ケーブルヘッド１ｅでは、図７に示すように、第１の分岐部８ｅを下向きに配置して、第１の電力ケーブル接続部１５ｅでＲ相の電力ケーブル１０を収容している。また、水平方向に第２および第３の分岐部８ｆおよび８ｇを配置して、第２および第３の電力ケーブル接続部１５ｆおよび１５ｇでＳ相およびＴ相の電力ケーブル１０を収容している。なお、第１の電力ケーブル接続部１５ｅは、図７に示すように、ケーブルヘッド底板１５１ｅおよび架構１５３ｅを有し、第２および第３の電力ケーブル接続部１５ｆおよび１５ｇは、ケーブルヘッド底板１５１ｆおよびケーブルヘッド底板１５１ｇを有しているが、架構を有していない。
【００６２】
第３の実施形態では、第２の実施形態と同様に、３台分のケーブルヘッドに収容する三相導体１３を、１台のケーブルヘッド１ｅで収容するため、個別の３台分のケーブルヘッドを用いるよりも全体として絶縁スペーサ、フランジ、シールの数を低減できる。このため、部品数低減により製造コスト低減、ガス漏洩危険性の低減等の効果を有する。
【００６３】
また、第３の実施形態では、ケーブルヘッド１ｅにおいて、下向きに第１の分岐部８ｅを配置するのみで、水平方向に第２および第３の分岐部８ｆおよび８ｇを配置させているため、第２の実施形態の場合に比べて、さらに、ＧＩＳ全体の据付面積を低減することができる。
【００６４】
［第４の実施形態］
図８は本発明に係るガス絶縁開閉装置の第４の実施形態における立断面図である。第４の実施形態は、第２の実施形態の変形例である。以下では、主に第２および第３の実施形態との相違点について説明する。
【００６５】
第４の実施形態のガス絶縁開閉装置は、第２の実施形態と同様に母線３の三相導体１３が相ごとに分離されて、分離された相ごとに複数の導体を収容するケーブルヘッド１ｈを具備する。例えば、第４の実施形態のガス絶縁開閉装置は、図８に示すように、ケーブルヘッド１ｈ、断路器２、母線３、計器用変圧器５、避雷器６を具備している。
【００６６】
ケーブルヘッド１ｈにおいて、三相導体１３のＲ相、Ｓ相およびＴ相の各相の導体を複数（例えば３条）収容している。ケーブルヘッド１ｈは、一部が開口可能で三相導体１３を収容する主胴部７ｈと、三相導体１３におけるＲ相の複数の導体１３ａを収容する第１の分岐部８ｈと、同じくＳ相の複数の導体１３ｂを収容する第２の分岐部８ｉと、同じくＴ相の複数の導体１３ｃを収容する第３の分岐部８ｊと、を有する。この他にも、ケーブルヘッド１ｈは、電力ケーブル終端部１１、接続導体１２、絶縁スペーサ１４、第１ないし第３の電力ケーブル接続部１５ｈ、１５ｉおよび１５ｊを有している。
【００６７】
ケーブルヘッド１ｈには、絶縁ガスが充填されるように、主胴部７ｈおよび第１ないし第３の分岐部８ｈ、８ｉおよび８ｊが一体となるように形成されている。このようにケーブルヘッド１ｈは、図７に示すケーブルヘッド１ｅと同様に、開口部分をより少なくするように形成されている。なお、第１の電力ケーブル接続部１５１ｈは、図８に示すように、ケーブルヘッド底板１５１ｈおよび架構１５３ｈを有し、第２および第３の電力ケーブル接続部１５ｉおよび１５ｊは、ケーブルヘッド底板１５１ｉおよびケーブルヘッド底板１５１ｊを有しているが、架構を有していない。
【００６８】
第４の実施形態では、第３の実施形態と同様に、３台分のケーブルヘッドに収容する三相導体１３を、１台のケーブルヘッド１ｈに収容するため、個別の３台分のケーブルヘッドを用いるよりも全体として絶縁スペーサ、フランジ、シールの数を低減できる。
【００６９】
また、第４の実施形態では、ケーブルヘッド１ｈにおいて、下向きに第１の分岐部８ｈを配置し、水平方向に第２の分岐部８ｉを配置し、そして上向きに第３の分岐部８ｊを配置している。また、これら第１ないし第３の分岐部８ｈ、８ｉおよび８ｊに対応して、下向きに配置されている第１の電力ケーブル接続部１５ｈにおいてＲ相の電力ケーブル１０を収容し、水平方向に配置されている第２の電力ケーブル接続部１５ｉにおいてＳ相の電力ケーブル１０を収容し、上向きに配置されている第３の電力ケーブル接続部１５ｊにおいてＴ相の電力ケーブル１０を収容している。これにより、第３の実施形態と比べて、水平方向の分岐部が１箇所減り、さらに、この分のフランジ、シールの数を減らすことができる。
【００７０】
以上説明したように、第４の実施形態では、部品数低減により製造コストを低減でき、ガス漏洩危険性を有する箇所の低減等の効果を有する。
【００７１】
また、第４の実施形態では、ケーブルヘッド１ｈにおいて、下向きに第１の分岐部８ｈを配置させ、水平方向に第２の分岐部８ｉを配置させ、かつ上向きに第３の分岐部８ｊを配置させているため、第２の実施形態の場合に比べて、さらに、ＧＩＳ全体の据付面積を低減することができる。
【００７２】
［第５の実施形態］
図９は本発明に係るガス絶縁開閉装置の第５の実施形態における立断面図である。第５の実施形態は、第１の実施形態の変形例である。以下では、主に第１の実施形態との相違点について説明する。
【００７３】
第５の実施形態では、第１の実施形態と同様な構成であるが、相違点としては計器用変圧器５を第１のケーブルヘッド１ａの上部に配置させ、避雷器６を第２のケーブルヘッド１ｂの上部に配置させている点である。また、これらの計器用変圧器５および避雷器６は、第１のケーブルヘッド１ａおよび第２のケーブルヘッド１ｂを介して三相導体１３に接続されている。そして、避雷器６に三相導体１３を接続するために、第２のケーブルヘッド１ｂにおける絶縁スペーサ１４において、Ｓ相の導体１３ｂおよびＴ相の導体１３ｃに加えて、Ｒ相の導体１３ａも支持している。
【００７４】
以上説明したように、図９に示すような配置により、ガス絶縁開閉装置の据付面積は、図１に示す据付面積よりも避雷器６の据付面積分を低減することができる。
【００７５】
したがって、第５の実施形態では、第１の実施形態の場合に比べて、さらに、ＧＩＳ全体の据付面積を低減することができる効果を有する。
【００７６】
［他の実施形態］
以上、本発明のいくつかの実施形態を説明したが、これらの実施形態は、例として提示したものであり、発明の範囲を限定することは意図していない。例えば、ガス絶縁開閉装置以外でも同様の装置を有する電力システムに適用できる。また、各実施形態の特徴を組み合わせてもよい。さらに、これらの実施形態は、その他の様々な形態で実施されることが可能であり、発明の要旨を逸脱しない範囲で、種々の省略、置き換え、変更を行うことができる。これら実施形態やその変形には、発明の範囲や要旨に含まれると同様に、特許請求の範囲に記載された発明とその均等の範囲に含まれるものである。
【符号の説明】
【００７７】
１ａ…第１のケーブルヘッド、１ｂ…第２のケーブルヘッド、１ｃ…第３のケーブルヘッド、１ｄ、１ｅ、１ｈ…ケーブルヘッド、２…断路器、３…母線、５…計器用変圧器、６…避雷器、７ａ、７ｂ、７ｃ…密閉容器、７ｄ、７ｅ、７ｈ…主胴部、８ａ、８ｅ、８ｈ…第１の分岐部、８ｂ、８ｆ、８ｉ…第２の分岐部、８ｃ、８ｇ、８ｊ…第３の分岐部、１０…電力ケーブル、１１…電力ケーブル終端部、１２…接続導体、１３…三相導体、１３ａ…Ｒ相の導体、１３ｂ…Ｓ相の導体、１３ｃ…Ｔ相の導体、１４…絶縁スペーサ、１５ａ、１５ｅ、１５ｈ…第１の電力ケーブル接続部、１５ｂ、１５ｆ、１５ｉ…第２の電力ケーブル接続部、１５ｃ、１５ｇ、１５ｊ…第３の電力ケーブル接続部、１５ｄ…電力ケーブル接続部、１５１ｃ、１５１ｄ、１５１ｅ、１５１ｆ、１５１ｇ、１５１ｈ、１５１ｉ、１５１ｊ…ケーブルヘッド底板、１５２ｃ…アダプタ、１５３ｃ、１５３ｄ、１５３ｅ、１５３ｈ…架構
【図１】
2013143845.tif 000003
【図２】
2013143845.tif 000004
【図３】
2013143845.tif 000005
【図４】
2013143845.tif 000006
【図５】
2013143845.tif 000007
【図６】
2013143845.tif 000008
【図７】
2013143845.tif 000009
【図８】
2013143845.tif 000010
【図９】
2013143845.tif 000011